(57)【特許請求の範囲】
【請求項１】
出力する電力の仕様を切り換えるための切換レバーを有する切換器を操作盤の内部に備える可搬型エンジン駆動発電機において、前記切換レバーの切換状態を判別するための装置であって、前記切換レバーの先端部に識別手段としてテープ材が付設されており、前記操作盤の盤上に、前記切換レバーの先端部の切換位置に対応する部位に別々に設けられ、前記切換レバーの先端部を外部から視認するための銘板と一体になった透視可能な透明部材を貼設した窓部を備えていることを特徴とする可搬型エンジン駆動発電機の切換器の切換状態判別装置。
【発明の詳細な説明】
【０００１】
【発明の属する技術分野】
本発明は、発電機に付設されている切換器の切換状態判別装置に関する。
【０００２】
【従来の技術】
従来、可搬式の発電機は、使用される負荷機器が多種にわたり、ひとつの発電機で、これらに対応するために巻線を切換えて、出力を三相交流又は単相交流などに使用できるようにしたものがある。そして、その切換えは頻繁に行うものではなく、また、発電機の運転中に切換えると、発電機本体や発電機に接続されている負荷機器を損傷することがあり、誤操作されないように、切換器を操作盤内や、発電機側面に設けられているサイドドアの内側などの、外部から見えない位置に設置している。したがって、その反面、切換器が三相交流又は単相交流かのどちらに切換えられているか、発電機の外部からでは見えにくくなっている。そのため、発電機の運転にあたっては、操作盤やサイドドアを開けて切換レバーの切換位置を確認してから発電機の始動を行っていた。
【０００３】
それに対応する従来技術として、発電機の電機子コイルの接続を切換えて出力端子からの出力を三相交流又は単相交流に設定し、その状況を表示灯の点灯によって表示するものがある（特開２００１−５７７６４号公報）。
【０００４】
【発明が解決しようとする課題】
しかしながら、この方法では、表示ランプの電源を発電機からとって、表示ランプを点灯させているので、発電機を運転しないときは点灯せず、メンテナンスや、運転準備のときのように機械が完全に停止した状態では、切換器が三相交流又は単相交流のどちらのポジションに切換えられているか判らないという問題があった。
【０００５】
本発明は、上記課題を解決するためになされたものであり、発電機の三相・単相の切換器など、頻繁に切換えをしない切換器を、操作盤内などの外部から見えない位置に設置した場合でも、電源を必要とせず、また、操作盤を開けずに、切換状態を一目で確認できる切換器の切換状態判別装置を提供することを目的とする。
【０００６】
【課題を解決するための手段】
上記課題を解決した本発明は、出力する電力の仕様を切り換えるための切換レバーを有する切換器を操作盤の内部に備える可搬型エンジン駆動発電機において、前記切換レバーの切換状態を判別するための装置であって、前記切換レバーの先端部に識別手段としてテープ材が付設されており、前記操作盤の盤上に、前記切換レバーの先端部の切換位置に対応する部位に別々に設けられ、前記切換レバーの先端部を外部から視認するための銘板と一体になった透視可能な透明部材を貼設した窓部を備えていることを特徴とする。
【０００７】
本発明によれば、切換器の切換レバーの先端部を外部から視認するための窓部を操作盤上に形成して、切換レバーの先端の位置を視認することにより、操作盤を開けなくとも三相交流又は単相交流の切換状態を判別することができる。
【０００９】
本発明によれば、切換器の切換レバーの先端部を外部から視認するための窓が、透明部材で覆われているため、発電機が発生する音を外部へ漏れなくすることができるとともに、この窓から外気を吸い込まないため、塵埃が切換器の接点などに溜まることや雨水などが侵入することを防止することができる。
【００１１】
本発明によれば、前記透明部材は銘板と一体で設けられているため、銘板に、三相交流、単相交流の切換レバーの位置を表示しておくことで、三相交流又は単相交流の切換状態をより正確に確認することができる。
【００１３】
本発明によれば、切換器の切換レバーの先端部に黄色などの目立つ色を持った識別容易なテープを貼ることにより、操作盤内の切換レバーの切換状態を、さらに、効果的に判別することができる。なお、その他の識別手段として、切換レバーに塗装や被覆などを施すことにより、識別し易くしても良い。
【００１４】
【発明の実施の形態】
以下、図面を参照して、本発明の切換器の切換状態判別装置の好適な実施の形態について詳細に説明する。実施の形態として、任意の場所で簡単に発電し、多種の負荷機器の電源として利用される可搬式の防音型発電機において、発電機本体の電機子巻線の結線を切換えることにより、三相４線式交流（以下、単に三相交流という）又は単相３線式交流（以下、単に単相交流という）に切換可能にした三相・単相の切換器を例に説明する。
【００１５】
図１（ａ）及び図１（ｂ）に示すように、発電機１は、エンジン５と、このエンジン５で駆動される発電機本体６を防音ケース４の内部に備えており、その前面には操作盤３が設けられている。
【００１６】
操作盤３は、スタータスイッチ１７、三相・単相切換の表示灯１９ａ、１９ｂ、切換レバーを覗く窓部２０ａ、２０ｂ、三相（単相）出力端子２４、漏電リレー２５、三相・単相の切換器２８及び周波数計などの各種計器類を備えている。また、三相・単相の切換器２８は、操作盤３の内側の制御箱３２のほぼ中央部に、外部から見えない状態で取付ブラケットを介して取り付けられている。また、操作盤３には、前記切換レバーを覗く窓部２０ａ、２０ｂの横に三相・単相切換の表示灯１９ａ、１９ｂが取り付けられる。この表示灯１９ａ、１９ｂが点灯することによって切換器２８の三相又は単相の切換状態が判別できるようになっている。
【００１７】
図２において、切換器の切換状態判別装置２は、切換器２８の三相又は単相の切換状態を判別するための装置であり、先端部に識別手段として黄色のテープ３１が付設された切換レバー３０を有する三相・単相の切換器２８と、操作盤３に切換レバー３０の先端部を外部から視認するための四角い形状をした切換レバー３０を覗く窓部２０ａ、２０ｂを備えている。
【００１８】
また、切換器２８を切換える切換レバー３０は、三相又は単相を切換えるために、上下に移動させることができるようになっており、操作盤３には、切換器２８の切換レバー３０の上下の切換位置に対応する位置に窓部２０ａ、２０ｂが設けられている。操作盤３上の前面に窓部２０ａ、２０ｂを覆うように銘板３３が貼設されている。
【００１９】
図３に示すように、銘板３３は、三相交流又は単相交流に切換えられたときの切換レバー３０の先端部が見える位置に透明部３４ａ、３４ｂが設けられ、また、その横に三相交流又は単相交流に切換ったことを表示する表示灯１９ａ、１９ｂを配置するための丸孔３５ａ、３５ｂが、透明部３４ａ、３４ｂと対になって設けられている。さらに、三相交流又は単相交流に切換えられたときの切換レバー３０の先端部が見える位置や表示灯１９ａ、１９ｂを示す位置に切換状態を示す名称が記載されており、その中間部にも、注意事項などが記載されている。
【００２０】
つぎに、この使用方法について説明する。図４に示すように、切換レバー３０が単相交流を選択するために下側へ位置しているとき、作業者３７は、切換レバー３０の先端部に貼り付けられた黄色のテープ３１を、銘板３３の単相交流と記された側の透明部３４ｂを透かして、操作盤３の下方の覗き孔２０ｂから見ることができるため、切換器２８は単相交流が選択されていることが容易に確認できる。
【００２１】
このとき、操作盤３上の上側の切換レバーを覗く窓部２０ａの内部は、制御箱３２の暗い内部を覗くことになり、黒くなって見える。そのため、三相・単相の切換器２８は、三相交流が選択されていないことが確認できる。
【００２２】
尚、同時に、スタータスイッチ１７をＯＮにすると、操作盤３上の切換レバー３０を覗く窓部２０ａ又は２０ｂに対応する位置に設けられた三相・単相切換の表示灯１９ａ又は１９ｂの点灯によっても三相・単相の切換器２８が選択された方を補助的に確認することができる。この三相・単相切換の表示灯１９ａ又は１９ｂは、バッテリを電源とし、切換器２８を三相交流又は単相交流に切換えると自動的に点灯する。この表示灯（具体的には、発光ダイオード）が設けられているため、発電機を運転していない場合にも、スタータスイッチ１７をＯＮにすると切換器２８がどのポジションになっているのかを確認することができる。
【００２３】
一方、黄色のテープ３１が貼られた切換レバー３０を、三相交流を選択するために上方へ移動させたときは、前述と同様の理由から、切換レバー３０の先端部の黄色のテープ３１は、銘板３３の三相交流と記された側の透明部３４ａを透かして、操作盤３の上方の切換レバー３０を覗く窓部２０ａから視認されることになる。
【００２４】
このように、切換レバー３０の状態を介して三相・単相の切換器２８の切換状態を判断することができる。
【００２５】
以上述べた実施の形態は、本発明を説明するための一例であり、本発明は、上記の実施の形態に限定されるものではなく、発明の要旨の範囲内で種々の変更が可能である。たとえば、覗き窓部を四角い窓としたが、丸い窓、楕円状の窓など、適宜選択しても良い。また、操作盤には、覗き窓部や表示灯部を覆うようにして、三相４線式交流及び単相３線式交流に関する表示を記述したフィルムの銘板を貼り付けたが、覗き窓部（□部）のみに透明部材として透明フィルムなどを貼っても良いし、もちろん他の材質でもあっても良い。また、切換レバーの先端には黄色のテープを貼設したが、黄色のレバーであっても良い。さらに、本発明の対象とする切換器は、三相・単相の切換器にこだわらず、切換レバーを有する他の切換器も当然含むものである。
【００２６】
【発明の効果】
以上説明したように、本発明によれば、可搬型エンジン駆動発電機の切換器の切換レバーの先端部を外部から視認するための窓部を、操作盤上に形成することにより、操作盤を開けなくとも、三相交流又は単相交流の切換状態を判別することができる。このように、三相・単相の切換器など、頻繁に切換えをしない切換器を誤操作されないように、操作盤内などの外部から見えない位置に設置した場合に、電源を必要とせず、また、操作盤を開けずに、切換状況を一目で確認でき、且つ、切換器の切換レバーの先端部を外部から視認するための覗き窓部が透明部材で覆われているため、発電機本体及びそれを駆動するエンジンが発生する音を外部へ漏れないようにすることができるとともに、この窓部から外気を吹き込まないため、塵埃が切換器の接点などに溜まることを防止することができ、且つ、透明部材が銘板と一体で設けられているため、銘板に三相交流、単相交流の切換レバーの位置を表示しておくことで、三相交流又は単相交流の切換状態をより正確に確認することができ、さらに、切換器の切換レバーの先端部に黄色などの目立つ色を持った識別容易なテープを貼ることにより、操作盤内の切換レバーの切換状態を、さらに、効果的に判別することができる。また、標準の切換レバーを用いた場合でも容易に識別し易くすることができる。
【図面の簡単な説明】
【図１】本発明の切換器の切換状態判別装置を装備した発電機全体を示し、（ａ）は正面図、（ｂ）は右側面図である。
【図２】本発明の切換器の切換状態判別装置の概略を示す側断面図である。
【図３】本発明の切換器の切換状態判別装置の銘板を示した説明図である。
【図４】本発明の切換器の切換状態判別装置の概略を示す斜視図である。
【符号の説明】
１  発電機
２  切換器の切換状態判別装置
３  操作盤
４  防音ケース
５  エンジン
６  発電機本体
１７  スタータスイッチ
１９ａ、１９ｂ  表示灯
２０ａ、２０ｂ  窓部
２４  三相（単相）出力端子
２５  漏電リレー
２８  切換器
３０  切換レバー
３１  黄色のテープ
３２  制御箱
３３  銘板（フィルム）
３４ａ、３４ｂ  透明部
３５ａ、３５ｂ  丸孔
３６  作業者（切換レバーの無い方を見ている目）
３７  作業者（切換レバーの有る方を見ている目）
【図１】
0003973144.tif 000002
【図２】
0003973144.tif 000003
【図３】
0003973144.tif 000004
【図４】
0003973144.tif 000005